(57)【要約】【課題】ワイヤー、板状材等の異物の侵入を阻止して不正行為の防止を図ることができる遊技機を提供する。【解決手段】取付枠体１０と、その取付枠体１０の開口部一側に開閉ヒンジ機構５０によって開閉可能に装着された扉体３０と、を備える。扉体３０には、同扉体３０を閉じるときに取付枠体１０の所定位置に設けられた滑走面８１に沿って滑走して扉体３０を閉じ案内する滑走体９０が配設される。取付枠体１０と扉体３０との少なくとも一方には、滑走体９０の上方を覆って異物Ｗの侵入を阻止するカバー体１０３が配設されている。【選択図】　　　　図２
2004141410.tif 000002
【特許請求の範囲】
【請求項１】
取付枠体と、その取付枠体の開口部一側に開閉ヒンジ機構によって開閉可能に装着された扉体と、を備えた遊技機であって、
前記扉体には、同扉体を閉じるときに前記取付枠体の所定位置に設けられた滑走面に沿って滑走して前記扉体を閉じ案内する滑走体が配設され、
前記取付枠体と前記扉体との少なくとも一方には、前記滑走体の上方に位置して異物の侵入を阻止するカバー体が配設されていることを特徴とする遊技機。
【請求項２】
請求項１に記載の遊技機であって、
滑走体はローラ状に形成されかつ扉体に装着された支持具に回転可能に支持され、
前記支持具には、前記ローラ状の滑走体の上方に位置して異物の侵入を阻止するカバー体が一体状に設けられていることを特徴とする遊技機。
【請求項３】
請求項２に記載の遊技機であって、
支持具には、滑走体の側方に位置して異物の侵入を阻止する側壁部が一体状に設けられていることを特徴とする遊技機。
【発明の詳細な説明】
【０００１】
【発明の属する技術分野】
この発明は、コインを用いて遊技を行うスロットマシン、球を用いて遊技を行うパチンコ機、あるいはこれらに類する遊技機に関する。
【０００２】
【従来の技術】
従来、取付枠体の開口部一側に開閉ヒンジ機構によって扉体が開閉可能に装着され、同扉体の背面（後面）の自由端部寄りに、扉体を閉じ状態に施錠する施錠部材を備えた施錠装置が配設された遊技機が知られている（例えば、特許文献１参照）。
【０００３】
【特許文献１】
実用新案登録第３０３３６１１号公報（第２頁、図２）
【０００４】
【発明が解決しようとする課題】
ところで、このような遊技機において、取付枠体に対し扉体を閉じる際、その扉体の自重によって同扉体の自由端側が下がって傾くことがあり、扉体を所定の閉じ位置まで閉じ動作させることが困難となる場合がある。
このような不具合を解消するため、扉体の所定位置、例えば、扉体の背面側（後面側）の自由端寄り下部にローラ状の滑走体を回転可能に設け、その滑走体に対応する滑走面を有する案内板を取付枠体の所定位置に設けることで、扉体を所定の閉じ位置まで閉じ案内することが考えられる。
しかしながら、扉体と取付枠体との相互に、ローラ状の滑走体と、案内面を有案内板とをそれぞれ組み付けると、これら滑走体と案内板との近傍に隙間が生じやすくなる。そして、取付枠体と扉体との間の隙間及び滑走体近傍の隙間を通してワイヤー、板状材等の異物が不測に侵入され、不正行為が行われる場合がある。例えば、取付枠体と扉体との間の隙間の下部からその上方の滑走体近傍の隙間を通してワイヤー、板状材等の異物が不測に侵入され、その異物によって施錠装置の施錠部材が不測に解錠動作される不正行為が行われる場合がある。
この発明の目的は、前記問題点に鑑み、ワイヤー、板状材等の異物の侵入を阻止して不正行為の防止を図ることができる遊技機を提供することである。
【０００５】
【課題を解決するための手段】
前記目的を達成するために、請求項１の発明に係る遊技機は、取付枠体と、その取付枠体の開口部一側に開閉ヒンジ機構によって開閉可能に装着された扉体と、を備える。前記扉体には、同扉体を閉じるときに前記取付枠体の所定位置に設けられた滑走面に沿って滑走して前記扉体を閉じ案内する滑走体が配設される。前記取付枠体と前記扉体との少なくとも一方には、前記滑走体の上方に位置して異物の侵入を阻止するカバー体が配設されている。
したがって、取付枠体と扉体との間の隙間の下部からその上方の滑走体近傍の隙間を通してワイヤー、板状材等の異物が不測に侵入された場合、滑走体の上方を覆うカバー体に異物が当たり、これ以上異物が侵入されることを阻止することができる。これによって、例えば、施錠装置の施錠部材が不測に解錠動作される不正行為を防止することができる。
【０００６】
請求項２の発明に係る遊技機は、請求項１に記載の遊技機であって、滑走体はローラ状に形成されかつ扉体に装着された支持具に回転可能に支持され、前記支持具には、前記ローラ状の滑走体の上方に位置して異物の侵入を阻止するカバー体が一体状に設けられている。
したがって、扉体の支持具にローラ状の滑走体が回転可能に支持されることで、扉体を閉じ位置まで軽快に閉じ案内することができる。
しかも、ローラ状の滑走体を支持する支持具にカバー体が一体状に設けられることで、支持具とは別個にカバー体を製作して組み付ける手間を省くことができ、部品点数や組付工数を削減してコスト低減を図ることができる。
【０００７】
請求項３の発明に係る遊技機は、請求項２に記載の遊技機であって、支持具には、滑走体の側方に位置して異物の侵入を阻止する側壁部が一体状に設けられている。
したがって、ローラ状の滑走体を支持する支持具に一体状に設けられた側壁部によって滑走体の側方からの異物の侵入を阻止することもでき、不正行為の防止に効果が大きい。
【０００８】
【発明の実施の形態】
この発明の実施の形態を図１〜図４にしたがって説明する。
図１は遊技機としてのスロットマシンの取付枠体に対し扉体が開放された状態を示す斜視図である。図２は取付枠体に対し扉体が閉じられた状態の自由端側下部を拡大して示す側断面図である。図３は扉体の背面図である。図４はローラ状の滑走体が組み付けられた支持具を示す斜視図である。
図１において、スロットマシン１は、その外側の箱体部分を構成する取付枠体１０と、その取付枠体１０の前開口部一側において、同取付枠体１０の枠内の上下部にそれぞれ配置された開閉ヒンジ機構５０によって開閉可能に装着された扉体３０と、を備えている。
【０００９】
取付枠体１０は、左右の両側枠板１１、１２、底枠板１３、上枠板１４及び背面板１５を備えて前方に開口する方形箱形状に形成され、その背面板１５の内壁面の上部高さ位置には、回胴回転装置２０が装着されている。周知のように、回胴回転装置２０は、複数（例えば、３つ）の回胴体２１（回転リール、回転ドラム等とも呼ばれる）を並列状に備えている。これら複数の回胴体２１の外周面には、それぞれ複数の図柄が表示されている。
また、取付枠体１０の底枠板１３上には、複数の回胴体２１の図柄が当たり図柄の組合せとなって停止したときに賞品としてのコインを払い出すためのコイン払出装置２３やコインタンク２５が装着されている。
また、取付枠体１０の一方の側枠板１１の内壁面には、複数の回胴体２１の駆動源をなす回胴モータ（ステッピングモータ）やコイン払出装置２３の払出モータ等を作動制御する制御基板が収納された制御基板ボックス２４が装着されている。
【００１０】
一方、扉体３０の所定位置には、回胴回転装置２０の複数の回胴体２１の図柄を透視可能な透し窓３１が形成されるとともに、その透し窓３１の上方には遊技演出等に関する図柄を変動表示するための表示面を有する前面に有する表示装置（例えば液晶パネル装置）３２が配設されている。
また、扉体３０の前側には、コイン投入口、作動レバー、ストップボタン、コイン受け皿、スピーカー等が配設されている。
【００１１】
図１に示すように、取付枠体１０の枠内の上下部にそれぞれ配置されて扉体３０を前方に変位しながら開放動作させるための上下の開閉ヒンジ機構５０は、複数のヒンジ構成部材としての枠体側ヒンジ取付基板、調整台、扉側ヒンジ取付基板、及び複数のアーム状のヒンジ部材をそれぞれ備えて構成されている。
そして、取付枠体１０に対し扉体３０が開閉ヒンジ機構５０によって前方に向けて開放されるときには、複数のアーム状のヒンジ部材が互いに伸ばされるようにして回動され、これによって扉体３０が前方に所定量だけ押し出されて変位されながら開放される。
また、開放された扉体３０が元の状態に閉じられるときには、複数のアーム状のヒンジ部材が互いに折り畳まれるようにして回動され、これによって扉体３０が取付枠体１０の前面に引き込まれて変位されながら元の状態に閉じられるようになっている。
【００１２】
また、図１に示すように、扉体３０の後側面の自由端側（開閉ヒンジ機構５０が配設される側とは反対側）寄りには、取付枠体１０に対し扉体３０を閉じ状態に施錠する施錠部材３７を備えた施錠装置３５が組み付けられている。
施錠装置３５の施錠部材３７は、扉体３０の後側面に上下方向に移動可能に組み付けられ、常には、ばねによって施錠方向に付勢されている。そして、施錠部材３７には、取付枠体１０の閉止片に係脱可能に係合して取付枠体１０に対し扉体３０を閉じ状態に施錠する施錠フック３８が設けられている。なお、扉体３０の前側にはシリンダー錠３６が設けられ、そのシリンダー錠３６に鍵を挿入して所定の解錠方向に回動操作することで、施錠部材３７がばねの付勢力に抗して解錠方向に移動され、これによって、施錠フック３８が取付枠体１０の閉止片から外れて解錠され、取付枠体１０に対し扉体３０が開閉ヒンジ機構５０において開閉動作可能となっている。
【００１３】
扉体３０の後側面の自由端寄り下部には、扉体３０を閉じ案内するローラ状の滑走体９０が支持具１００に回転可能に支持された状態で配設されている。
一方、滑走体９０に対応する取付枠体１０の底枠板１３の一端寄り上面には、滑走体９０を滑走案内する滑走面８１を有する案内板８０が装着されている。そして、取付枠体１０と扉体３０との少なくとも一方には、ローラ状の滑走体９０の上方に位置して（上方を覆って）異物Ｗの侵入を阻止するカバー体１０３が配設されている。
図４に示すように、支持具１００は、鉄板等の金属板の折り曲げ加工によって形成され、取付板１０１、支持板１０２、側板１０４及びカバー体１０３を一体に備えて略箱形状に形成されている。
すなわち、この実施の形態において、支持具１００の取付板１０１は上下方向の板状をなし、図１と図３に示すように、扉体３０の後側面の自由端寄り下部にビス等によって固定状態で取り付けられている。支持具１００の取付板１０１の一側から後方に向けて支持板１０２が直角状に折り曲げ形成され、さらに、取付板１０１の他側から後方に向けて側板１０４が直角状に折り曲げ形成されている。
【００１４】
図２〜図４に示すように、支持具１００の支持板１０２の先端（後端）部寄り下部の内側面には、左右方向に略水平な軸９１を中心としてローラ状の滑走体９０が回転可能に装着されている。
また、取付板１０１の上端から後方に向けてカバー体１０３が直角状に折り曲げ形成されている。そして、カバー体１０３は、ローラ状の滑走体９０のローラ幅寸法寄りも大きくその滑走体９０の上方に位置して異物Ｗの侵入を阻止するようになっている。
【００１５】
図１と図２に示すように、取付枠体１０の底枠板１３の一端寄り上面には、扉体３０を閉じるときにローラ状の滑走体９０を滑走案内するための滑走面８１を有する鉄板、ステンレス板等の金属板よりなる耐摩耗性の案内板８０が装着されている。この案内板８０の滑走面８１は、前側に向けて下傾する傾斜面８２と、その傾斜面８２の上傾端に略水平状に形成された平坦面８３とを連続状に有して構成されている。
【００１６】
この実施の形態に係る遊技機としてのスロットマシン１は上述したように構成される。したがって、図１に示すように開かれた扉体３０が閉じられる際、扉体３０が閉じ位置まで閉じられる直前において、まず、ローラ状の滑走体９０が案内板８０の滑走面８１の傾斜面８２に沿って滑走案内される。これによって、扉体３０は、その自重によって自由端側が下がって傾いた分だけ持ち上げられながら閉じ動作される。
そして、図２に示すように、取付枠体１０に対し扉体３０が閉じ位置まで閉じられたときには、ローラ状の滑走体９０が案内板８０の滑走面８１の平坦面８３に沿って滑走案内される一方、施錠装置３５の施錠フック３８が取付枠体１０の係止部（図示しない）に係合し、これによって扉体３０が閉じ位置で施錠される。
このようにして、取付枠体１０に対し扉体３０がローラ状の滑走体９０と案内板８０の滑走面８１によって軽快に閉じ案内されて閉じ位置まで閉じられる。
【００１７】
取付枠体１０に対し扉体３０が閉じ位置で施錠された状態において、図２と図３に示すように、取付枠体１０と扉体３０との間の隙間の下部からその上方の滑走体９０近傍の隙間を通してワイヤー、板状材等の異物Ｗが不測に侵入された場合、滑走体９０の上方を覆うカバー体１０３に異物Ｗが当たり、これ以上異物Ｗが侵入されることを阻止することができる。言い換えると、図２と図３において２点鎖線に示すように、異物Ｗがカバー体１０３を越えてさらに上方に侵入することを阻止することができる。これによって、例えば、図２と図３において２点鎖線に示すように、施錠装置３５の施錠部材３７の施錠フック３８に異物Ｗが係合されて施錠部材３７が不測に解錠動作される不正行為を防止することができる。
【００１８】
また、この実施の形態において、滑走体９０は、扉体３０に装着された支持具１００に回転可能に支持されたローラ状に形成され、支持具１００には、ローラ状の滑走体９０の上方に位置して異物Ｗの侵入を阻止するカバー体１０３が一体状に設けられている。
このように、扉体３０の支持具１００にローラ状の滑走体９０が回転可能に支持されることで、扉体３０を閉じ位置まで軽快に閉じ案内することができる。
しかも、ローラ状の滑走体９０を支持する支持具１００にカバー体１０３が一体状に設けられることで、支持具１００とは別個にカバー体１０３を製作して組み付ける手間を省くことができ、部品点数や組付工数を削減してコスト低減を図ることができる。
【００１９】
また、この実施の形態において、ローラ状の滑走体９０を支持する支持具１００に一体状に設けられた側壁部としての支持板１０２あるいは側板１０４によって滑走体９０の側方からの異物Ｗの侵入を阻止することもでき、不正行為の防止に効果が大きい。
また、この実施の形態において、支持具１００は、取付板１０１、支持板１０２、側板１０４及びカバー体１０３を一体に備えて後側と下側が開口された略箱形状に形成されている。このため、支持具１００の後側あるいは下側の開口部から同支持具１００の箱内に異物Ｗが侵入されたとしても、その異物Ｗを支持具１００の箱内の内壁面、すなわち、取付板１０１、支持板１０２、側板１０４及びカバー体１０３の内壁面で止めて箱外まで侵入されることを阻止することができる。これによって、不正行為をより一層確実に防止することができる。
【００２０】
なお、この発明は前記実施の形態に限定するものではない。
例えば、図５に示すように、扉体３０の後側面に装着される支持具１００の支持板１０２及びカバー体１０３を、取付枠体１０の底枠板１３上に設置されるコインタンク２５の前側面に接近する位置まで後方に延出し、その支持板１０２の前後方向の中間部に位置してローラ状の滑走体９０を軸９１を中心として回転可能に装着してもよい。この場合、取付枠体１０と扉体３０との間の隙間の下部からその上方の滑走体９０近傍の隙間を通してワイヤー、板状材等の異物Ｗが不測に侵入されたとしても、滑走体９０の上方を覆うカバー体１０３によって、これ以上奥側に異物Ｗが侵入することをより一層確実に阻止することができる。
【００２１】
また、前記実施の形態においては、支持具１００の支持板１０２にローラ状の滑走体９０を軸９１を中心として回転可能に装着したが、滑走体９０は回転不能に構成してもこの発明を実施することができる。但しこの場合、滑走体９０は耐摩耗に優れかつ滑りの良い材料から形成することが望ましい。
また、前記実施の形態においては、滑走体９０を支持する支持具１００にカバー体１０３が一体状に設けられる場合を例示したが、支持具１００とは別体にカバー体１０３を製作して、そのカバー体１０３を扉体３０に装着してもこの発明を実施することができる。また、支持具１００とは別体のカバー体１０３を取付枠体１０に装着してもこの発明を実施することができる。
【００２２】
また、前記実施の形態においては、開閉ヒンジ機構５０が、複数のヒンジ構成部材としての枠体側ヒンジ取付基板、調整台、扉側ヒンジ取付基板、及び複数のアーム状のヒンジ部材をそれぞれ備えて構成されている場合を例示したが、取付枠体１０に対し扉体３０を前方に変位させながら解放動作可能に支持する開閉ヒンジ機構であれば、どのような形式の開閉ヒンジ機構（例えば、スライド形式の開閉ヒンジ機構）であってもよい。
また、蝶板式の開閉ヒンジ機構であってもよく、ヒンジ軸を中心として開閉動作させる開閉ヒンジ機構であってもよい。
また、遊技機としては、スロットマシン１以外の遊技機、例えば、パチンコ機等であっても採用することができる。
【００２３】
【発明の効果】
以上述べたように、この発明によれば、滑走体の上方を覆うカバー体によって異物の侵入を阻止することができ、異物の不測の侵入による不正行為を防止することができる。
【図面の簡単な説明】
【図１】この発明の実施の形態に係る遊技機としてのスロットマシンの取付枠体に対し扉体が開放された状態を示す斜視図である。
【図２】同じく取付枠体に対し扉体が閉じられた状態の自由端側下部を拡大して示す側断面図である。
【図３】同じく扉体の背面図である。
【図４】同じくローラ状の滑走体が組み付けられた支持具を示す斜視図である。
【図５】同じく支持具の変更例を示す説明図である。
【符号の説明】
１　スロットマシン（遊技機）
１０　取付枠体
３０　扉体
５０　開閉ヒンジ機構
８０　案内板
８１　滑走面
９０　滑走体
９１　軸
１００　支持具
１０１　取付板
１０２　支持板
１０３　カバー体
１０４　側板
【図１】
2004141410.tif 000003
【図２】
2004141410.tif 000004
【図３】
2004141410.tif 000005
【図４】
2004141410.tif 000006
【図５】
2004141410.tif 000007